(57)【要約】【課題】従来の陳列棚の側板取付構造にあっては、支柱への側板の方向性を考慮して各種掛合部材による取付構造が試みられてきたが、掛合部材が側板と別材の単独構成で、かつ煩雑な構成であった。さらに台棚装着構成が側板との関係で煩雑な構成であることなどから、コスト高を来たし、設置現場での組み立て能率をも悪くしていた。【解決手段】  方形縦状の板材の一方端辺を基部として上下隅角を方形に切り欠いた凹状の掛合部（５a）（５a）を相対して設け、他方端辺を先部として方形板材のままの上下相対する凸状の掛止部（５ｄ）を設けた掛合子（５）を形成し、その基部を側板（４）の後面に熔着して掛合子（５）を突設し、陳列棚支柱の縦長掛合孔に掛合装着する。【選択図】図３
2008073321.tif 000002
【特許請求の範囲】
【請求項１】
前側面に棚板を受支装着させる中空角材からなる支柱を、台棚を装着する台枠の後側左右端部に立設装置し、棚板の外側部に沿う支柱の前側面に縦長の掛合孔を穿設し、該掛合孔に側板後面を掛合子にて掛止装着する陳列棚において、支柱の側板用掛合孔の掛合位置に相当する側板後面位置に、基部の上下隅角を相対して切り欠いた凹状の掛合部を有し、先部に上下相対する凸状の掛止部を有する掛合子の基部を固着突設し、該側板の掛合子の掛止部を支柱の側板用掛合孔に嵌入し、下側掛合部を支柱の掛合孔下縁に嵌合して陳列棚側端部の棚板外側部に側板を装着する陳列棚の側枠取付構造。
【請求項２】
前記掛合子は、側板の中空角材からなる後側枠後面に穿設した縦長の取付孔に相当する幅と厚みを有する長方形の板材の長手方向に沿う中央付近の上下側辺を、互いに切り欠いて相対する凹状の掛合部とし、その両側をそのままの幅広に形成して一方を掛止部とし、他方を取付部として形成し、該掛合子の取付部を前記側板の取付孔に嵌入して掛合部の取付部側の側縁面を後側枠後面に添わせて掛合部及び掛止部を突出させ、取付孔に接する取付部を熔接にて固着してなる請求項１に記載の陳列棚の側板取付構造。
【請求項３】
前側面に棚板を受支装着させる中空角材からなる支柱を、台棚を装着する台枠の後側左右端部に立設装置し、棚板の外側部に沿う支柱の前側面に縦長の掛合孔を穿設し、該掛合孔に側板後面を掛合子にて掛止し、側板下部を受支部材で受支して棚板外側部に側板を装着する陳列棚において、台棚の外側枠に上方から冠合させる内外抱片を有する断面下向きコ字形の嵌着部上に、側板の下側枠を受支する嵌着部より間隔の狭い内外受片を有する断面上向きコ字形の受部を形成して内側受片の外側に段縁を設けた受支部材にて、側板の下側枠を受部で、段縁で台棚の側端縁を一連に受支して外側枠上に固定装着する陳列棚の側板取付構造。
【請求項４】
前記掛合子は、支柱の側板用掛合孔の掛合位置に相当する側板後面位置に、基部の上下隅角を相対して切り欠いた凹状の掛合部を有し、先部に上下相対する凸状の掛止部を有する掛合子の基部を固着突設し、該側板の掛合子の掛止部を支柱の側板用掛合孔に嵌入し、下側掛合部を支柱の掛合孔下縁に嵌合して陳列棚の棚板外側部に側板を装着する請求項３に記載の陳列棚の側板取付構造。
【請求項５】
前記掛合子は、側板の中空角材からなる後側枠後面に穿設した縦長の取付孔に相当する幅と厚みを有する長方形の板材の長手方向に沿う中央付近の上下側辺を、互いに切り欠いて相対する凹状の掛合部とし、その両側をそのままの幅広に形成して一方を掛止部とし、他方を取付部として形成し、互いに切り欠いて相対する凹状の掛合部とし、その両側をそのままの幅広に形成して一方を掛止部とし、他方を取付部として形成し、該掛合子の取付部を前記側板の取付孔に嵌入して掛合部の取付部側の側縁面を後側枠後面に添わせて掛合部及び掛止部を突出させ、取付孔に接する取付部を熔接にて固着してなる請求項４に記載の陳列棚の側板取付構造。
【発明の詳細な説明】
【技術分野】
【０００１】
本発明は、商品陳列棚の側端部に掛止装着する板状又はメッシュ構造などの側板を着脱自在に装着する取付構造に関する。
【背景技術】
【０００２】
この種の陳列棚における側板は、陳列棚に装着された上下複数段の棚板の外側辺に外側から囲む状態に配され、その後側辺を陳列棚背部に立設せる支柱前側面に設けた取付孔に掛合して装置されるもので、陳列棚の側面を整え、棚板上の商品が外側端から零れ落ちることを防ぐものであるが、メッシュ構造の側板にあっては金属線材を格子状に張着し、この格子状金属線材の横線材に商品を吊持して陳列棚の側板を利用した陳列棚側面での商品陳列が行われてきている。
【０００３】
このメッシュ構造の側板にあっては、商品の荷重に耐え得るよう比較的太い金属線材を用いて格子状に構成され、しかもコスト面から縦線材又は横線材が各々内外いずれかの側に偏り配した立体交差状に構成されるため、陳列棚の外側端部への側板の方向性が自ずと決まってくるものである。即ち、格子状構造の側板での陳列商品の掛吊し易さ、また陳列棚として見栄えなどを考慮して商品を掛吊する横線材が外側にあることが望ましいとされてきている。
【０００４】
また、板状側板にあっても、外側と内側とは異なり、例えば内側は陳列商品の見栄えをよくするための鏡などを、外側には店舗の雰囲気を良くするため汚れ難い表面加工などを施すこともあることから、陳列棚の左右外側端部への側板の装着方向が限定される。
【０００５】
このように陳列棚への側板装着には側板の方向性が限定されるため、これまで陳列棚に左右いずれの側辺にも同じ構造の側板を上下転倒させて掛合装着できる側板取付構造が種々試みられてきた。しかし、いずれも複雑な取付構造故、コスト高を招くとともに、装着作業が極めて煩雑で能率が悪く、かつ緊密な掛合が得られない不安定な取付構造であった。その特許文献を下記に挙げ説明する。
【０００６】
特開２００４−１３５９３８号公報（特許文献１）には、陳列什器の角管からなる支柱（２）に上下方向に並べて穿設したスリット状の係合孔（８）と、サイドパネル（９）の角管状側枠（１０）の後端上下に穿設した係合孔（１５）（１５）を、係止部材（１６）で係合し、側枠（１０）の下端部をベース脚（１）に受部材（２１）で受止固定して支柱（２）にサイドパネル（９）を取り付ける。ことが記載されている。
【０００７】
図４及び図５に示すように、係止部材（１６）は、金属製の板材により形成されて、前方を向き、かつ前上部を斜切した上向きフック（１７）と、前方を向き、かつ前下部をほぼ四半円状とした下向きフック（１８）と、後方を向く下向きフック（１９）とを備え、側枠（１０）の後部の縦杆（１３）の上下係合孔（１５）に、係止部材（１６）の上向きフック（１７）を下から斜めに差し入れて、垂直姿勢にしてから下方に落とし、段部（２０）を係合孔（１５）の下縁に係合して、側枠（１０）に係止部材（１６）を係合装着した後、係合孔（１５）から突出せる係止部材（１６）の後方を向く下向きフック（１９）を支柱（２）の係合孔（８）に嵌入させて側枠（１０）を下方にスライドさせ係合させることにより、取り付けるとしている。
【０００８】
また、図６乃至図８に示すように、受け部材（２１）は、垂直板状の基片（２２）に前後の中位部より一側方に水平に延出する水平片（２３）を、その先端に起立する起立片（２４）を有して正面視ほぼ上向きコ字状の受け部（２７）が形成され、基片（２２）における水平片（２３）より下方部分を一脚状の差し込み部（２６）に形成してなり、この受け部材（２１）は差し込み部（２６）をベース脚（１）の上端に形成された前後方向に向く差し込み溝（２５）に上方より差し込んで支持され、上方の受け部（２７）にて前記支柱（２）に係合支持された側枠（１０）における下方の横杆（１４）を下方より嵌受して固定される。
【特許文献１】特開２００４−１３５９３８号公報
【発明の開示】
【発明が解決しようとする課題】
【０００９】
従来の独立する別部材による係合部材を介在させる取付構造にあっては、設置現場へ陳列部品を搬送移動させるに際し、ことに係合部材など小さい部品は紛失し易い。さらに前記特許文献１のように、係合部材がいずれも特異形状をなす上向きフック（１７）、段部（２０）を有する下向きフック（１８）、下向きフック（１９）を設けた非常に複雑な構造であるため、コスト高を招くと共に、係合部材の係合孔への係合構造に方向が限定されていて作業が非常に煩雑となって、組み立て作業能率の低下を来たす。
【００１０】
また、側枠の下縁を受止固定する受け部材（２１）においても、一脚状の差し込み部（２６）を有する構成から、ベース脚（１）に差し込み溝（２５）を特設しなければならない複雑な構成であり、複雑な構造によるコスト高及び組み立て作業の煩雑さは免れない。しかも一脚支持構成であるため、安定した支持が得られないと共に、側枠（１０）受支との関係でベース棚板（５）を支持するベース脚（１）に複雑な支持構成が強いられている結果、コスト高を余儀なくさせている。
【課題を解決するための手段】
【００１１】
本発明は、陳列棚の側枠取付構造における上記課題を解消するため、請求項１において、台棚を装着する台枠後側の左右端部に立設装置した中空角形の支柱前側面に棚板を受支装着し、支柱前側面に穿設した上下方向に沿って並列する縦長の掛合孔に側板を掛止装着して、前記棚板の左右外側部に側板を配設した陳列棚において、方形の縦状板材の一方の端辺を基部とし、その上下隅角を切り欠いて相対する凹状の掛合部を設け、他方の端辺を先部として方形幅広のままの上下相対する凸状の掛止部を設けて掛合子を形成し、その基部を支柱の側板用掛合孔の掛合位置に相当する側板後面位置に固着して掛合子を側板に突設する。該側板の掛合子の掛止部を支柱の側板用掛合孔に嵌入し、側板を下方に摺動させることにより、下側掛合部を支柱の掛合孔下縁に嵌合し、掛止部で掛止して陳列棚の棚板側部に側板を着脱自在に装着するものである。これにより掛合子の上下に相対して形成した同一形状の掛合部及び掛止部による支柱面への上下に長い溝状接触面により、方向性のある側板を陳列棚側端部の左右いずれの棚板側部にも側板を上下転倒させて緊密に掛合装着することができる。
【００１２】
この掛合子を、請求項２において、中空角形をなす側板の後側枠後面の、支柱の側板用掛合孔の掛合位置に相当する位置に縦長取付孔を穿設し、該取付孔の大きさに相当する幅と肉厚を有する長方形の板材を用いて、長手方向に沿う中央付近の上下側辺を互いに切り欠いて凹状の掛合部を相対して設け、その両側をそのままの幅広に形成して一方を掛止部とし、他方を取付部として形成する。支柱の側板用掛合孔の掛合位置に相当する側板後面位置に、掛合子の取付部縦断面に相当する大きさの縦長取付孔を穿設し、該取付孔に前記掛合子の取付部が接触する状態で嵌合して、掛合部の取付部側の側縁を後側枠後面に均一に沿わせて掛合部及び掛止部を突出させ、取付孔に接する取付部を熔接にて固着する。これにより側板に掛合子を堅牢かつ容易に突設することができる。
【００１３】
また、前記陳列棚の側板取付構造について、請求項３〜５において、台枠の外側枠に上方から冠合させる内外抱片を有する断面下向きコ字形の嵌着部上で、側板の下側枠を受支させる前記嵌着部の抱片間隔より狭い間隔の内外受片を有する断面上向きコ字形の受部を外側の受片側寄りに形成することにより、受部の内側受片の外側（棚板側）に嵌着部による段縁を形成して受支部材を構成する。受支部材の嵌着部の内外抱片を台枠の外側枠に上方から嵌合して抱持嵌着し、受部の内外受片で側板の下側枠を、段縁にて台棚の外側縁を一連に抱受して台枠の外側枠上に固定装着する。これにより前記掛合子による掛合と相俟って側板及び台棚を一連に陳列棚に強固に装着することができる。
【発明の効果】
【００１４】
本発明の側板取付構造は、上記のように側板に突設した掛合子の上下に相対する掛合部及び掛止部で、方向性を有する側板を陳列棚の左右いずれの棚板側部にも掛止装着することができると共に、掛合子の掛合部及び掛止部による溝状接触面で支柱の中空壁部を内外から上下に長く挟持するため、緊密に掛止装着することができ、支柱との掛合部が妄りに弛緩したり外れる虞なく側板を陳列棚に安全確実に装着することができる。
【００１５】
しかも、掛合子が側板に突設固定されているため、陳列棚設置現場へ陳列棚部材搬送の際、掛合子を置き忘れ、また紛失することながないので、組立部品数の点検が容易となるばかりでなく、側板取り付けに際し、側板に掛合子が不動に固定されて移動することがないため、支柱への掛合装着作業が簡易かつ確実となって陳列棚への側板装着能率を大幅に改善することができる。
【００１６】
また、受支部材では、嵌着部の内外抱片で台枠の外側枠を内外から抱持固定し、段縁にて重力ある台棚を台枠の外側枠上で側板と一連に嵌合受支することができるため、台棚を受支するための複雑な構成を台枠上に設ける必要がなく、簡潔な受支部材の一連構成及び装着構成により、側板及び台棚を容易に受支装着することができ、組立作業能率が極めて良い。しかも受支部材による一連構成で側板及び台棚を一層緊密に受支して堅固な装着が得られ安全性が高い。
【発明を実施するための最良の形態】
【００１７】
本発明の陳列棚の側板取付構造を図１〜３を用いて説明する。
【００１８】
図１は本発明を実施する陳列棚の一部斜視図、図２は側板を取り付けた陳列棚一部の斜視図、図３は側板の斜視図で、その実施形態を説明すると、下部を前方に屈折させて脚部とした中空角材からなるＬ字形支柱（２）の前側面に、棚腕（１ｂ）及び側板（４）用の縦長掛合孔（２ａ）（２ｂ）を上下方向の二列に並列穿設し、該支柱（２）（２）を左右に間隔をおいて配して互いに平行する脚部を台枠（３）の外側枠（３ａ）として台棚（３ｂ）を装着するもので、支柱（２）（２）の内側に位置する棚腕（１ｂ）用掛合孔（２ａ）に棚板（１ａ）を取り付けた棚腕（１ｂ）後部の掛合子（図示省略）を掛合支持させて装着し、支柱（２）（２）の外側に位置する側板（４）用掛合孔（２ｂ）に側板（４）の後側枠（４ｂ）面に突設した掛合子（５）を掛合支持させて、側板（４）で棚板（１a）の左右外側端辺を囲む状態に装着し、支柱（２）（２）間には背板（１ｃ）を装着し、頂部に梁部材（図示省略）を渡し止めて陳列棚（１）を構成する。
【００１９】
側板（４）は、図３に示すように陳列棚（１）の背丈に相当する高さの中空角材からなる縦長方形の側枠（４ａ）に、比較的太い線材を格子状に立体交差させ構成したメッシュ板（４ｅ）を張着してなる。掛合子（５）は、方形の縦状板材の一方端辺を基部とし、その上下隅角を相対して方形に切り欠いて上下に相対する凹状の掛合部（５ａ）（５ａ）を設け、他方端辺を先部として縦状板材のままの幅広に上下突出させた掛止部（５ｄ）（５ｄ）を設けて形成する。該掛合子（５）の基部端面を、前記側板（４）の側枠（４ａ）の後側枠（４ｂ）面における支柱（２）の側板用掛合孔（２ｂ）の上下掛合位置に相当する複数位置に熔接により固着突設する。
【００２０】
この側板（４）を上下の掛合子（５）（５）をして陳列棚（１）の支柱（２）の側板用掛合孔（２ｂ）（２ｂ）に水平に嵌入し、支柱（２）と後側枠（４ｂ）の接面時に側板（４）を下方に摺動させることにより、掛合子（５）の凹状の下側掛合部（５ａ）が支柱（２）の掛合孔（２ｂ）の下縁（２ｃ）に嵌合して支柱（２）内壁に添って下方掛止部（５ｄ）が掛かり状に掛合し、側板（４）の下側枠（４ｃ）を台枠（３）の外側枠（３ａ）上に嵌着した受支部材（７）にて受支して、陳列棚（１）の棚板（１ａ）（１ａ）の外側部に側板（４）が強固に固定装着される。図示するように側板（４）が格子状メッシュ板（４ａ）にあっては、このメッシュ板（４ａ）に商品を掛け吊るして陳列するため、側板（４）を陳列棚（１）の左右側において商品を掛け吊るす横線材が外側に臨むことが、商品を掛け易い点で機能的に有利であり、さらに、陳列棚側板として見た目にも体裁がよい。
【実施例】
【００２１】
実施例１
図４〜７を用いて側板への掛合子突設構造の実施例１を説明する。
【００２２】
図４は突設前の側板と掛合子の斜視図、図５は掛合子の正面図、図６は陳列棚の支柱への側板掛合の要部を示す縦断側面図、図７は陳列棚の支柱への側板掛合の要部を示す横断平面図で、側板（４）の中空後側枠（４ｂ）の後壁に、支柱（１）の掛合孔（２ａ）（２ａ）に合わせて並列穿設された縦長の取付孔（４ｄ）（４ｄ）を利用して、該取付孔（４ｄ）の幅に相当する肉厚の横長方形板材の長手方向に沿う中央上下側辺から、支柱（１）の中空肉厚に相当する幅で切り欠いて上下相対する溝状掛合部（５ａ）（５ａ）を切削状に設け、その両片を横長方形のままの幅広に形成して一方を掛止部（５ｄ）、他方を取付部（５ｅ）として掛合子（５）を形成する。
【００２３】
この掛合子（５）の取付部（５ｅ）を、側板（４）の後側枠（４ｂ）後面に並列穿設した掛合位置の取付孔（４ｄ）に嵌入して、取付部（５ｅ）側の上下掛合部（５ａ）側縁（５ｂ）（５ｂ）を後側枠（４ｂ）後面と均一に沿うよう嵌合し、取付部（５ｅ）の取付孔（４ｄ）に嵌接する部分をアルゴン熔接（６）で熔着固定して、掛合子（５）を側板（４）に突設する。アルゴン熔接以外の熔接によっても固着は可能であるが、肉盛りを削る後処理がいらない分、アルゴン溶接が最適である。取付孔（４ｄ）は図示では多数並設されている後側枠（４ｂ）を利用して掛合子（５）の突設位置に即応させるものであるが、必要な掛合子（５）数だけ取付孔（４ｄ）を穿設することも本発明として実施されるものである。
【００２４】
掛合子（５）の取付部（５ｅ）は、側板（４）の後側枠（４ｂ）の取付孔（４ｄ）の上下左右側縁に緊密に嵌合し接合されるため、それのみで十分強固に固定することができるが、さらに取付部（５ｅ）の奥行き長さを側板（４）の後側枠（４ｂ）の中空奥行き長さに等しく形成することで、取付部（５ｅ）の上下直状の後端辺が後側枠（４ｂ）の壁内面に緊密に添って掛合子（５）を強固不動に突設することができる点で効果がある。
【００２５】
図６に示すように掛合子（５）の溝状の下方掛合部（５ａ）が支柱（２）の掛合孔（２ｂ）の下縁（５ｄ）に嵌合して側縁（５ｂ）が支柱（２）内壁に添って下方掛止部（５ｄ）が掛かり状に掛合して、陳列棚（１）の棚板（１ａ）（１ａ）の外側部に側板（４）を強固に固定装着する。また、掛合部（５ａ）の掛止部（５ｄ）側の側縁（５ｂ）を、図５の破線で示すようにテーパー部（５ｃ）に形成して掛合部（５ａ）の口部を広くすることにより、支柱（２）の掛合孔（２ｂ）への掛合を円滑にするのに役立つ。
【００２６】
実施例２
図８,９を用いて側板受支部材の実施例２を説明する。
図８は側板受支部材の斜視図、図９は受支部材の側板受支状態を示す陳列棚要部の縦断正面図で、Ｌ字形陳列棚（１）の脚部をして台枠（３）の外側枠（３ａ）とし、該外側枠（３a）を上方から冠合抱持する下向きの内外抱片（８ａ）（８ａ）を有する断面コ字形の嵌着部（８）と、側板（４）の下側枠（４ｃ）を受支する前記嵌着部（８）の抱片（８ａ）（８ａ）間隔より狭い間隔をおく上向きの内外受片（９ａ）（９ａ）を有する断面コ字形の受部（９）とを、背合わせ状に、かつ受部（９）の外側受片（９a）を嵌着部（８）の外側抱片（８ａ）と互いの外側面同士を均一に揃え接合して、内側受片（９a）の外側に嵌着部（８）による段縁（１０）を形成して受支部材（７）を構成する。
【００２７】
該受支部材（７）を嵌着部（８）により陳列棚（１）の外側枠（３ａ）前後の一箇所又は複数箇所に上方から嵌合して、内外抱片（８ａ）（８ａ）で外側枠（３ａ）を抱持して外側枠（３a）上に固定し、側板（４）を掛合子（５）で前記要領により支柱（２）の掛合孔（２ｂ）に掛合掛止する際、側板（４）の下側枠（４ｃ）を受部（９）の内外受片（９ａ）（９ａ）で内外から抱受し、段縁（１０）で台棚（３ｂ）の左右外側縁を受支して、受支部材（７）にて側板（４）を陳列棚（１）の棚板（１ａ）外側に添って不動に装着すると同時に、台棚（３ｂ）を一連に不動堅固に支持装着することができる。段縁（１０）は、受片（９a）（９a）間隔を抱片（８a）（８a）間隔より狭くすることによる間隔差で形成されるが、外側受片（９a）を外側寄りに、又は外側抱片（８a）に揃えて形成することで、側板（４）を支柱（２）による装着位置に整えて受支装着することができる。
【００２８】
以上で説明した陳列棚（１）、側板（４）、受支部材（７）は、主として金属資材で構成されるが、そのすべて又は一部を硬質合成樹脂資材を用いて構成されることも可能である。また、陳列棚（１）においてＬ字形の支柱（２）の脚部を利用して台枠（３）の外側枠（３ａ）とした実施例について説明したが、台棚を装着する框枠状台枠の後側の左右隅角に直状の支柱を立設する陳列棚においても、本発明を実施することは可能で、既述した同様の作用効果が得られることは勿論である。
【００２９】
また、上記説明において支柱（２）を二体とした陳列棚（１）の実施例２について説明したが、三体以上の支柱（２）を互いに左右に間隔をおいて設置した一面に連続する陳列棚にあっても実施することができ、その最も外側の左右支柱（２）に側板（４）を掛合装着するものである。
【００３０】
なお、倒Ｔ字形の支柱を用いて前後に棚板を装着した背中合わせの陳列棚においても、上記同様本発明を実施することは当然可能であり、上記実施例における掛合子（５）の板材肉厚は、支柱（２）における掛合孔（２ｂ）の大きさによるものであることも当然である。
【図面の簡単な説明】
【００３１】
【図１】この発明を実施せる側板を取り付ける陳列棚一部の斜視図である。
【図２】図１の陳列棚にこの発明を実施せる側板を取り付けた状態を示す一部の斜視図である。
【図３】図２の側板を陳列棚から取り外して示す斜視図である。
【図４】側枠の他の実施例１を側枠と掛合子を分離して示す斜視図である。
【図５】図４に示す掛合子の側面図である。
【図６】図５の掛合子を固着した側板の支柱への掛止装着要部を示す縦断側面図である。
【図７】図６の掛止装着要部を示す横断平面図である。
【図８】図２の陳列棚に取り付けられた側板下側枠を固定する受支部材の実施例２を示す斜視図である。
【図９】図８の受支部材による側板の受支状態を示す要部の縦断正面図である。
【符号の説明】
【００３２】
１    陳列棚
１ａ  棚板
１ｂ  棚腕
１ｃ  背板
２    支柱
２ａ  掛合孔
２ｂ  掛合孔
２ｃ  下縁
３    台枠
３ａ  外側枠
３ｂ  台棚
４    側板
４ａ  側枠
４ｂ  後側枠
４ｃ  下側枠
４ｄ  取付孔
４ｅ  メッシュ板
５    掛合子
５ａ  掛合部
５ｂ  側縁
５ｃ  テーパー部
５ｄ  掛止部
５ｅ  取付部
６    熔接
７    受支部材
８    嵌着部
８ａ  抱片
９    受部
９ａ  受片
１０  段縁
【図１】
2008073321.tif 000003
【図２】
2008073321.tif 000004
【図３】
2008073321.tif 000005
【図４】
2008073321.tif 000006
【図５】
2008073321.tif 000007
【図６】
2008073321.tif 000008
【図７】
2008073321.tif 000009
【図８】
2008073321.tif 000010
【図９】
2008073321.tif 000011